(57)【要約】      （修正有）【課題】術野の清潔を保持することができるとともに、破損等を生じさせることなく、開窓部を容易に広げることができるサージカルドレープを提供する。【解決手段】平布で形成したドレープ本体１に、術野を露出可能とするドレープ開窓部２を設けた再利用可能なサージカルドレープにおいて、このドレープ開窓部２を被覆可能とする被覆布１４を、留め具でドレープ本体１に着脱自在に固定可能とするとともに、この被覆布１４に、ドレープ開窓部２よりも小さい被覆開窓部１１を形成し、ドレープ本体１に被覆布１４を固定した際に、前記被覆開窓部１１を、ドレープ開窓部２の開口範囲内に配置可能としたサージカルドレープ。【選択図】図１
0003184689.tif 000002
【実用新案登録請求の範囲】
【請求項１】
平布にて形成したドレープ本体に、術野を露出可能とするドレープ開窓部を設けた再利用可能なサージカルドレープにおいて、このドレープ開窓部を被覆可能とする被覆布を、留め具にてドレープ本体に着脱自在に固定可能とするとともに、この被覆布に、ドレープ開窓部よりも小さい被覆開窓部を形成し、ドレープ本体に被覆布を固定した際に、前記被覆開窓部を、ドレープ開窓部の開口範囲内に配置可能としたことを特徴とするサージカルドレープ。
【請求項２】
ドレープ開窓部には、両側にドレープ本体と分離した外周フラップを設け、この外周フラップをドレープ開窓部側に折り返すとともに、この折り返し部分を固定具によって固定することにより、ドレープ開窓部の両側にポケットを形成可能としたことを特徴とする請求項１のサージカルドレープ。
【請求項３】
留め具は、固定具を兼ねることを特徴とする請求項２のサージカルドレープ。
【請求項４】
被覆布は、表面に吸水処理を施したことを特徴とする請求項１のサージカルドレープ。
【考案の詳細な説明】
【技術分野】
【０００１】
本考案は、手術の際に患者に被覆するサージカルドレープに関するものである。
【背景技術】
【０００２】
特許文献１に示す如く、サージカルドレープは手術の際に患者の患部外周を被覆するものであって、術野の清潔の保持、患者の血液や体液の飛散による感染防止等のために使用されている。そして、このサージカルドレープの中央部には術野を露出可能とする開窓部が設けられており、術野の清潔を保ちながら開窓部を介して手術を行うものである。またこの開窓部は、術野の位置や大きさに対応したものを使用するが、術野の清潔を維持する観点からなるべく狭くすることが好ましい。
【先行技術文献】
【特許文献】
【０００３】
【特許文献１】実開平６−５２８０８号公報
【考案の開示】
【考案が解決しようとする課題】
【０００４】
しかし、手術中に術式変更により拡大手術となる場合や、開窓部を介して術野にドレーンを挿入する場合には、手術を円滑に行うために開窓部をより大きなものに広げなければならない場合があった。そこで、例えば使い捨てのサージカルドレープは、開窓部に直接はさみ等で切り込みを入れ、この切り込み部分を開いて開窓部を広げる場合があった。しかし、リユースのサージカルドレープの場合には、上記の如くサージカルドレープに直接切り込みを入れてしまうとリユースが困難となるため、使用中のサージカルドレープを更に大きな開窓部を設けたサージカルドレープに取り替える必要があった。
【０００５】
また、上記の如くサージカルドレープに直接切り込みを入れた場合には、リユースが難しくなるためコストが高くつくものとなっていた。更に、使用中のサージカルドレープを、より大きな開窓部を備えたサージカルドレープと交換する場合、それまで使用していたサージカルドレープを患者から取り除く際に、サージカルドレープの不潔部分や手術中に付着した患者の血液や組織等が、術野を通過したり又は接触したりするおそれがあり感染の拡大が懸念されるものとなっていた。
【０００６】
そこで、本考案は上述の如き課題を解決しようとするものであって、術野の清潔を保持することができるとともに、破損等を生じさせることなく、開窓部を容易に広げることができるサージカルドレープを得ようとするものである。
【課題を解決するための手段】
【０００７】
本考案は上述の如き課題を解決するため、平布にて形成したドレープ本体に、術野を露出可能とするドレープ開窓部を設けた再利用可能なサージカルドレープにおいて、このドレープ開窓部を被覆可能とする被覆布を、留め具にてドレープ本体に着脱自在に固定可能とするとともに、この被覆布に、ドレープ開窓部よりも小さい被覆開窓部を形成し、ドレープ本体に被覆布を固定した際に、前記被覆開窓部を、ドレープ開窓部の開口範囲内に配置可能としたものである。
【０００８】
上記の如く形成することにより、手術当初は被覆布をドレープ本体に留め具により固定配置した状態で使用し、手術の途中で拡大手術となった場合に、被覆布をドレープ本体から取り外すことにより、被覆布に設けた被覆開窓部よりも大きいドレープ開窓部が露出するものとなる。従って、手術中にドレープ本体を切断することなく、被覆布を取り外すのみで開窓部を容易に拡大することができる。
【０００９】
また、サージカルドレープを手術中に広い開窓部のものと交換する必要がなく、手術の開始時に使用していたドレープ本体を継続して使用することができる。そのため、サージカルドレープの不潔部分が術野を通過したり接触したりするおそれがなく、術野の清潔を確実に保持することができる。また、サージカルドレープの交換のための手間を要しないとともに、サージカルドレープの使用枚数を抑えることができるため洗濯や保管等の管理が容易となる。
【００１０】
またドレープ開窓部には、両側にドレープ本体と分離した外周フラップを設け、この外周フラップをドレープ開窓部側に折り返すとともに、この折り返し部分を固定具によって固定することにより、ドレープ開窓部の両側にポケットを形成可能としたものであってもよい。
【００１１】
ドレープ開窓部の両側にポケットを形成することにより、ドレープ開窓部や被覆開窓部から流出した洗浄液、血液、体液を上記ポケットで受け止めることにより、床面への洗浄液、血液、体液の流出を抑えて汚染を防止することができる。また、手術中に使用する器具を一時的にポケット内に挿入して保持することができるため、作業の効率化を図ることができる。
【００１２】
また留め具は、固定具を兼ねたものであってもよい。このように形成することにより、被覆布の着脱の際に、留め具と固定具とを全て別々に嵌合又は嵌合解除する必要がなく、被覆布の着脱作業を迅速に行うことができる。
【００１３】
また被覆布は、表面に吸水処理を施したものであってもよい。
【考案の効果】
【００１４】
本考案は上述の如く構成したものであるから、サージカルドレープに切り込みを形成することなく開窓部を広げることができるため、サージカルドレープの繰り返しの使用が可能となる。従ってコストを低く抑えることができるとともに、手術中に術式変更による拡大手術を行う場合や術野にドレーンを挿入する場合にも即座に開窓部を拡大することができ、手術を円滑に行うことができる。
【００１５】
また、手術中にサージカルドレープを広い開窓部のものと交換する必要がなく、手術の開始時に使用していたものを継続して使用することができる。そのため、サージカルドレープの不潔部分が術野を通過したり接触したりするおそれがなく、術野の清潔を確実に保持することができる。また、サージカルドレープの交換のための手間を要さないとともに、サージカルドレープの使用枚数を抑えることができるため洗濯や保管等の管理が容易となる。
【図面の簡単な説明】
【００１６】
【図１】本考案の実施例１を示す平面図。
【図２】本実施例の被覆布及びドレープ本体を示す概念図。
【図３】実施例１の外周フラップによりポケットを形成した図を示す部分拡大平面図。
【図４】実施例２の被覆布を示す平面図。
【図５】実施例２において留め具と係合穴との関係を示す部分拡大斜視図。
【図６】実施例２において係合穴を介して留め具を嵌合した状態を示す部分拡大断面図。
【図７】実施例３の被覆布を示す平面図。
【図８】実施例３において留め具とスリットとの関係を示す部分拡大斜視図。
【実施例１】
【００１７】
本考案の実施例１を以下に説明すると、図１に示す如く(1)は開腹手術用サージカルドレープのドレープ本体であって、平布にて形成したものである。そして、このドレープ本体(1)の中央部には、術野を露出可能とする長方形のドレープ開窓部(2)を設けている。そして、上記の如く形成したドレープ開窓部(2)の外周には略長方形状の外周布(3)を設けている。
【００１８】
この外周布(3)は、中央部分をドレープ本体(1)に縫い付けてドレープ本体(1)と一体に形成するとともに、ドレープ開窓部(2)の両側を、ドレープ本体(1)と分離した外周フラップ(4)としている。そして、この外周フラップ(4)には本実施例の固定具(5)であるスナップを複数個配置している。
【００１９】
また図１に示す如く、上記ドレープ開窓部(2)には略長方形の被覆布(14)を被覆配置している。この被覆布(14)は表面(17)に吸水処理を施したものであって、図２に示す如くドレープ開窓部(2)を被覆可能とする大きさに形成し、ドレープ開窓部(2)の対向面である裏面(18)四隅には留め具(図示せず)としてスナップを配置している。また図２に示す如く、ドレープ本体(1)には、上記被覆布(14)の裏面(18)四隅に配置した留め具の対向位置に、前記スナップに嵌合可能なスナップをそれぞれ留め具(7)として設けている。
【００２０】
そして、被覆布(14)の留め具をドレープ本体(1)の留め具(7)に嵌合することにより、被覆布(14)をドレープ本体(1)に着脱自在に固定することができる。尚、本実施例では留め具(7)としてスナップを使用しているが、他の異なる実施例では面ファスナー等他の留め具を使用することも可能である。
【００２１】
また図２に示す如く、上記の如く形成した被覆布(14)の表面(17)四隅には、本実施例の固定具(8)であるスナップをそれぞれ配置している。またこの固定具(8)は、外周フラップ(4)に設けた固定具(5)のスナップと嵌合可能なものとしている。そして、上記の如く留め具(7)を嵌合して被覆布(14)をドレープ本体(1)に固定配置した状態で、図３に示す如く、外周フラップ(4)をドレープ開窓部(2)側に折り返す。
【００２２】
このような状態で、外周フラップ(4)の固定具(5)を、被覆布(14)の表面(17)四隅に配置した固定具(8)に嵌合固定する。更に、上記の如く折り返した外周フラップ(4)の両端側を図３の一点鎖線で示す如く、被覆開口部方向に斜めに折り返して固定具(5)にて固定する。これにより、ドレープ開窓部(2)の両側に一対のポケット(10)が形成される。
【００２３】
また、上記被覆布(14)の中央には被覆開窓部(11)を設けている。この被覆開窓部(11)は、図２の二点鎖線にて示す如く、ドレープ本体(1)に形成したドレープ開窓部(2)内に収まるようドレープ開窓部(2)よりも小さく形成するとともに、ドレープ開窓部(2)に被覆布(14)を接続固定した際に、前記被覆開窓部(11)がドレープ開窓部(2)の開口範囲内に位置するよう、被覆開窓部(11)の形成位置を予め調整している。そのため、留め具(7)にてドレープ本体(1)に被覆布(14)を固定配置した際に、被覆開窓部(11)にドレープ本体(1)の外周布(3)が露出することなく、被覆開窓部(11)全体を開口状態とすることができる。
【００２４】
また、上記留め具(7)及び固定具(5)(8)の嵌合を解除してドレープ本体(1)に固定した被覆布(14)を取り外すことにより、被覆開窓部(11)よりも大きなドレープ開窓部(2)が露出するものとなる。これにより、開窓部を容易に拡大することができることから、サージカルドレープに切り込みを形成する必要がなく、繰り返しの使用が可能となる。
【００２５】
従って、コストを低く抑えることができるとともに、手術中に術式変更のため拡大手術を行う場合や術野にドレーンを挿入する場合に開窓部を即座に拡大することができ、手術を効率良く進めることが可能となる。また、手術中にサージカルドレープを広い開窓部のものと交換してドレーピングし直す必要がなく、手術の開始時に使用していたサージカルドレープを引き続き継続して使用することができる。
【００２６】
そのため、サージカルドレープの不潔部分が術野を通過したり接触したりするおそれがなく、術野の清潔を確実に保持することができる。また、サージカルドレープを別途準備する必要がなく使用枚数を抑えることができるため、洗濯や保管等の管理が容易となる。
【００２７】
また、上記の如くドレープ本体(1)に被覆布(14)を固定配置した状態でポケット(10)を形成することにより、ドレープ開窓部(2)や被覆開窓部(11)から流出した洗浄液、血液、体液を上記ポケット(10)で受け止めることができる。そのため、床面への洗浄液、血液、体液の流出を抑えて汚染を防止することができるとともに、手術中に使用する器具を一時的にポケット(10)内に挿入して保持することが可能となり、作業の効率化を図ることができる。
【実施例２】
【００２８】
また上記実施例１では、留め具(7)と固定具(5)(8)とをそれぞれ別個に設けているが、本実施例２では、留め具(7)が固定具(5)(8)の役割を兼ねたものとしている。本実施例について以下に説明すると、本実施例では図４に示す如く、被覆布(14)の被覆開窓部(11)の両側に係合穴(12)をそれぞれ３か所ずつ形成している。また、ドレープ本体(1)には、上記被覆布(14)を配置した際の上記係合穴(12)の対応位置に、本実施例の留め具(7)であるスナップを設けている。
【００２９】
そして、ドレープ本体(1)のドレープ開窓部(2)に被覆布(14)を被覆し、ドレープ本体(1)に設けた留め具(7)の突部(21)を、図５に示す如く被覆布(14)の係合穴(12)にそれぞれ挿通配置する。そして、外周フラップ(4)には上記留め具(7)に嵌合可能な留め具(13)のスナップを設け、外周フラップ(4)を被覆開窓部(11)側に折り返すとともに、図６に示す如く、係合穴(12)を介して外周フラップ(4)の留め具(13)をドレープ本体(1)の留め具(7)に嵌合固定する。
【００３０】
これにより、被覆布(14)が留め具(7)(13)によってドレープ本体(1)に固定配置されるものとなる。また上記の如く、外周フラップ(4)を折り返して折り返し部分を留め具(7)(13)にて固定していることから、被覆開窓部(11)の両側に、外周フラップ(4)により形成されたポケット(10)が配置されるものとなる。このように、本実施例では外周フラップ(4)を留め具(7)(13)のみで固定してポケット(10)を形成していることから、留め具(7)(13)が固定具(5)(8)の役割を兼ねるものである。
【００３１】
従って、被覆布(14)の着脱の際に、留め具(7)(13)と固定具(5)(8)とを全て別々に嵌合又は嵌合解除する必要がなく留め具(7)(13)のみの嵌合又は嵌合解除を行えばよいことから、被覆布(14)の着脱作業を迅速に行うことができる。
【実施例３】
【００３２】
また、上記実施例１、２では、被覆布(14)をドレープ本体(1)に着脱する際に留め具(7)(13)や固定具(5)(8)の嵌合又は嵌合解除を必要とするものであるが、本実施例では留め具(7)(13)や固定具(5)(8)の嵌合又は嵌合解除を行うことなく、被覆布(14)の着脱を行うことができるものである。
【００３３】
本実施例３について以下に詳細に説明すると、図７に示す如く、本実施例の被覆布(14)は、被覆開窓部(11)の配置方向の端縁にスリット(15)をそれぞれ３か所ずつ形成している。そしてこのスリット(15)の先端に円形の切欠き穴(16)を設け、図８に示す如く、この切欠き穴(16)に、下記留め具(7)のスナップの突部(21)を挿通可能としている。
【００３４】
また、ドレープ本体(1)のドレープ開窓部(2)に被覆布(14)を被覆した際に、上記切欠き穴(16)の対応位置に留め具(7)が位置するよう、ドレープ本体(1)に留め具(7)を配置している。そして、ドレープ開窓部(2)に被覆布(14)を被覆するとともに、図８に示す如くドレープ本体(1)に設けた留め具(7)の突部(21)を被覆布(14)の切欠き穴(16)にそれぞれ挿通配置する。
【００３５】
また、外周フラップ(4)には上記ドレープ本体(1)の留め具(7)に嵌合可能な留め具(13)のスナップを設けている。そして、外周フラップ(4)を折り返すとともに、上記ドレープ本体(1)の留め具(7)に外周フラップ(4)の留め具(13)を嵌合固定する。これにより、被覆布(14)が留め具(7)(13)によってドレープ本体(1)に固定配置されるものとなる。
【００３６】
また上記の如く、外周フラップ(4)を折り返して折り返し部分を留め具(7)(13)にて固定していることから、被覆開窓部(11)の両側に外周フラップ(4)にて形成されたポケット(10)が配置されるものとなる。このように、本実施例では外周フラップ(4)を留め具(7)(13)にて固定することによりポケット(10)を形成するものであって、留め具(7)(13)が固定具(5)(8)の役割を兼ねているものである。
【００３７】
また、被覆布(14)のスリット(15)に形成した切欠き穴(16)に留め具(7)を配置していることから、外周布(3)の留め具(7)と外周フラップ(4)の留め具(13)とを嵌合した状態で被覆布(14)を留め具(7)(13)の嵌合部(20)からスリット(15)に沿って引き抜くことにより、被覆布(14)をドレープ本体(1)から容易に取り外すことができる。また、上記留め具(7)(13)の嵌合状態で、被覆布(14)のスリット(15)に留め具(7)の嵌合部(20)を通過させてこの嵌合部(20)を切欠き穴(16)に配置することにより、被覆布(14)をドレープ本体(1)に容易に配置することができる。
【００３８】
そのため、留め具(7)(13)や固定具(5)(8)の嵌合又は嵌合解除を行うことなく、ドレープ本体(1)への被覆布(14)の着脱を行うことができる。従って、手術中に急に術式変更による拡大手術を行う場合や術野にドレーンを挿入する場合にも、即座に被覆布(14)を取り外して開窓部を拡大することができ、手術を円滑に行うことができる。
【００３９】
尚、上記の如く被覆布(14)はスリット(15)に沿って引き抜かない限り、留め具(7)(13)の嵌合部(20)にスリット(15)の係合穴(12)が係合しているため、手術時においては、被覆布(14)はドレープ本体(1)に固定された状態を維持可能とするものであってドレープから離脱困難としている。
【符号の説明】
【００４０】
１  ドレープ本体
２  ドレープ開窓部
４  外周フラップ
５、８  固定具
７、１３  留め具 
１０  ポケット
１１  被覆開窓部
１４  被覆布
１７  表面
【図１】
0003184689.tif 000003
【図２】
0003184689.tif 000004
【図３】
0003184689.tif 000005
【図４】
0003184689.tif 000006
【図５】
0003184689.tif 000007
【図６】
0003184689.tif 000008
【図７】
0003184689.tif 000009
【図８】
0003184689.tif 000010